(57)【要約】【課題】不使用時に壁面に沿ってコンパクトに且つ美麗に折り畳むことができると共に、身障者でも軽く容易に引き出して使用でき、しかもガタツキ無く安定した使用姿勢を保持することのできる折り畳み椅子を簡単な構造で安価に提供すること。【解決手段】壁面Ａに取り付けられた垂直な支柱２に対して座板１が垂直な折り畳み姿勢から水平な使用姿勢まで回動できるように、座板１と支柱２と脚杆３とリンク杆４とが実質的な４点リンク構造によって連結された折り畳み椅子であって、前記リンク杆４並びに脚杆３の一部が折り畳み時に略Ｕ字形をなす支柱２の枠内に収納できるように形成され、座板１を水平な使用姿勢に展開したときに前記リンク杆４の周面が床面Ｂに接地するように形成されている構造。【選択図】        図１
2004215931.tif 000002
【特許請求の範囲】
【請求項１】
壁面（Ａ）に取り付けられた垂直な支柱（２）に対して座板（１）が垂直な折り畳み姿勢から水平な使用姿勢まで回動できるように、座板（１）と支柱（２）と脚杆（３）とリンク杆（４）とが実質的な４点リンク構造によって連結された折り畳み椅子であって、前記支柱（２）が断面略Ｕ字形をなす長尺のチャンネル型材によって形成され、前記座板（１）若しくはこれに連なる部分の一端が前記支柱（２）の上端部に第１の枢軸（Ｓ１）を介して枢着され、前記座板（１）の他端が前記脚杆（３）の一端に第２の枢軸（Ｓ２）を介して枢着され、前記脚杆（３）の他端がリンク杆（４）の一端に第３の枢軸（Ｓ３）を介して枢着され、前記リンク杆（４）の他端が前記支柱（２）の下端に第４の枢軸（Ｓ４）を介して枢着されており、前記リンク杆（４）並びに脚杆（３）の一部が折り畳み時に略Ｕ字形をなす支柱（２）の枠内に収納できるように形成され、座板（１）を水平な使用姿勢に展開したときに前記リンク杆（４）の周面が床面（Ｂ）に接地するように形成されている折り畳み椅子。
【請求項２】
前記支柱（２）が縦軸の周りで回動するヒンジ部材（７）を介して回動可能に壁面（Ａ）に取り付けられる請求項２に記載の折り畳み椅子。
【請求項３】
前記座板（１）が垂直な姿勢に折り畳まれた時に、その姿勢を仮保持するキャッチ機構（６）が設けられている請求項１または２に記載の折り畳み椅子。
【発明の詳細な説明】
【０００１】
【発明が属する技術分野】
本発明は、折り畳み椅子に関し、殊に玄関の壁面や下駄箱等の収納家具の側壁面に取り付けて使用するに便利な折り畳み椅子に関するものである。
【０００２】
【従来の技術】
従来から玄関等の壁面に取り付けて使用する折り畳み椅子が種々提供されているが、何れも構造が複雑でコストが高く、且つ外観も不体裁で玄関の美観を損なうといった問題点があった。
【０００３】
【発明が解決しようとする課題】
そこで本発明は、不使用時に壁面に沿ってコンパクトに且つ美麗に折り畳むことができると共に、身障者でも軽く容易に引き出して使用でき、しかもガタツキ無く安定した使用姿勢を保持することのできる折り畳み椅子を簡単な構造で安価に提供することを主たる目的とするものである。
【０００４】
【課題を解決するための手段】
上記目的を達成する為に本発明では次のような技術的手段を講じた。即ち、本発明にかかる折り畳み椅子は、壁面Ａに取り付けられた垂直な支柱２に対して座板１が垂直な折り畳み姿勢から水平な使用姿勢まで回動できるように、座板１と支柱２と脚杆３とリンク杆４とが実質的な４点リンク構造によって連結された折り畳み椅子であって、前記支柱２が断面略Ｕ字形をなす長尺のチャンネル型材によって形成され、前記座板１若しくはこれに連なる部分の一端が前記支柱２の上端部に第１の枢軸Ｓ１を介して枢着され、前記座板１の他端が前記脚杆３の一端に第２の枢軸Ｓ２を介して枢着され、前記脚杆３の他端がリンク杆４の一端に第３の枢軸Ｓ３を介して枢着され、前記リンク杆４の他端が前記支柱２の下端に第４の枢軸Ｓ４を介して枢着されており、前記リンク杆４並びに脚杆３の一部が折り畳み時に略Ｕ字形をなす支柱２の枠内に収納できるように形成され、座板１を水平な使用姿勢に展開したときに前記リンク杆４の周面が床面Ｂに接地するように形成されている構造とした。
【０００５】
従って、前記リンク杆４並びに脚杆３の一部が折り畳み時に略Ｕ字形をなす支柱２の枠内に収納できるように形成されているので、折り畳み時の姿勢がコンパクトで且つ美麗な外観を呈することができる。また座板１を水平な使用姿勢に展開したときに前記リンク杆４の周面が床面Ｂに接地するように形成されているので、特別な姿勢保持機構を必要とすることなく安定した使用姿勢を保持することが可能となる。
【０００６】
また本発明では、前記支柱２を縦軸の周りで回動するヒンジ部材７を介して回動可能に壁面Ａに取り付けてもよい。また、前記座板１が垂直な姿勢に折り畳まれた時に、その姿勢を仮保持するキャッチ機構を設けるのが好ましい。
【０００７】
【発明の実施の形態】
図１〜図４は本発明に係る折り畳み椅子の第１の実施例を示すものである。この折り畳み椅子は、壁面Ａに取り付けられた垂直な支柱２に対して板状の座板１が壁面Ａに沿った垂直な折り畳み姿勢から水平な使用姿勢まで回動できるように、座板１と支柱２と脚杆３と左右一対のリンク杆４とが実質的な４点リンク構造によって連結形成されている。
【０００８】
前記支柱２は左右の側壁２ａ、２ａを備えた断面略Ｕ字形をなす長尺の金属製チャンネル型材によって形成され、ビス１０により壁面Ａに固定されている。前記座板１は図１に示す垂直な折り畳み姿勢においてその下端から一体的に延出した部分１ａの下端が前記支柱２の上端部に第１の枢軸Ｓ１を介して枢着され、前記座板１の上端部分が前記脚杆３の上端に第２の枢軸Ｓ２を介して枢着され、前記脚杆３の下端がリンク杆４の上端に第３の枢軸Ｓ３を介して枢着され、前記リンク杆４の下端が前記支柱２の下端に第４の枢軸Ｓ４を介して枢着されている。これにより前記座板１を把手５を介して前方下方に向かって引き出すことによって図２に示すように、座板１が水平となる使用姿勢に展開できるように形成されている。
【０００９】
また、図１の折り畳み姿勢において、前記リンク杆４並びに脚杆３の下方部分が、略Ｕ字形をなす支柱２の枠内に収納できるように支柱１の寸法が設定されている。また、座板１を図２の水平な使用姿勢に展開したときに、前記リンク杆４の周面が床面Ｂに接地するように形成されている。
【００１０】
更に、前記座板１が図１の垂直な姿勢に折り畳まれた時に、その姿勢を仮保持するキャッチ機構６が設けられている。本実施例で示したキャッチ機構６は、図２並びに図４で示すように、リンク杆４の上端部に係合凹部６ａを有する弾性舌片６ｂが設けられ、この座板１が垂直な姿勢に折り畳まれたときに、前記係合凹部６ｂが支柱２の側壁２ａの内面に形成された凸条２ｂに弾力的に係合する構造となっている。また前記舌片６ｂはその先端部分が支柱２のセンターに向かって傾斜する傾斜ガイド面６ｃを形成しており、これによりリンク杆４が折り畳まれるときに支柱２の略Ｕ字形開口部にスムースに導入するガイドを兼用する。
【００１１】
上記の如く構成された折り畳み椅子にあっては、リンク杆４並びに脚杆３の一部が折り畳み時に略Ｕ字形をなす支柱２の枠内に収納できるように形成されているので、折り畳み時の姿勢がコンパクトで且つ美麗な外観を呈することができる。また座板１を水平な使用姿勢に展開したときに前記リンク杆４の周面が床面Ｂに接地するように形成されているので、展開時に平行四辺形をなす４つの辺の一つである垂直な支柱２が壁面Ａに固定され、これに連なる下方の辺、即ちリンク杆４の周面がが床面Ｂに接して平行四辺形の形態を安定よく保持することができる。また支柱２が断面略Ｕ字形をなす長尺の金属製チャンネル型材によって形成されているので、軽量且つ丈夫であり、しかも中空部が折り畳み時のリンク杆４や脚杆下方部分の収納スペースとして利用されるので、無駄が無くコンパクトに且つ美麗に折り畳み姿勢を保持することができる。
【００１２】
図５〜図７は本発明に係る折り畳み椅子の別の実施例であって、脚杆３が先の実施例では１本で形成されているのに対し２本一対で形成され、リンク杆４が先の実施例では２本一対であったのに対し１本で形成されている。またこの実施例では、座板１の下端が第１の枢軸Ｓ１を有する蝶番８によって支柱１に固定された受座９に枢着されている。その他の構造はキャッチ機構６を除き先の実施例と同じである。このキャッチ機構６に代えて、例えば垂直な折り畳み姿勢において、互いに吸着する磁石と鉄板とからなるマグネットキャッチ（図示せず）を支柱２と脚杆３又はリンク杆４の相対する面に設置すればよい。
【００１３】
また本発明では、図８に示すように縦軸の周りで回動するヒンジ部材７を介して家具等の側壁面に取り付けるようにしてもよい。これにより座板１を水平な使用姿勢に展開させた状態で所定の角度範囲内で任意に移動させて使用することができて便利である。
【００１４】
以上本発明の代表的と思われる実施例について説明したが、本発明は必ずしもこれらの実施例構造のみに限定されるものではない。例えば脚杆３やリンク杆４は実施例で示したような角柱に代えて円柱であってもよい。またリンク杆４の設置する周面部分にクッションシートを貼り付けてもよい。その他本発明ではその構成要件を備え、かつ本発明の目的を達成し、下記の効果を奏する範囲内において適宜改変して実施できるものである。
【００１５】
【発明の効果】
本発明は上記の如く、リンク杆並びに脚杆の一部が折り畳み時に略Ｕ字形をなす支柱の枠内に収納できるように形成されているので、折り畳み時の姿勢がコンパクトで且つ美麗な外観を呈することができ、且つ座板を水平な使用姿勢に展開したときに前記リンク杆の周面が床面に接地するように形成されているので、特別な姿勢保持機構を必要とすることなく使用姿勢を安定よく保持することができるとともに、支柱が断面略Ｕ字形をなす長尺のチャンネル型材によって形成されているので、軽量且つ丈夫であり、しかも中空部が折り畳み時のリンク杆や脚杆下方部分の収納スペースとして利用されるので、無駄が無く、加えて全体的な構造がシンプルに形成されているので安価に製作できる、といった種々の効果がある。
【図面の簡単な説明】
【図１】本発明に係る折り畳み椅子の一実施例を示す斜視図で、座板を垂直な姿勢に折り畳んだ状態を示す。
【図２】上記座板を水平な使用姿勢に展開させた状態を示す斜視図。
【図３】上記座板を垂直な姿勢に折り畳んだ状態の正面図。
【図４】図３におけるＣ−Ｃ線に沿った拡大断面図。
【図５】本発明の別の実施例を示す図１同様の斜視図。
【図６】上記別実施例の図２同様の斜視図。
【図７】上記別実施例の使用姿勢に展開した状態を示す一部断面側面図。
【図８】本発明の更に別の実施例を示す図１同様の斜視図。
【符号の説明】
Ａ  平面
Ｂ  床面
１  座板
２  支柱
３  脚杆
４  リンク杆
６  キャッチ機構
Ｓ１  第１の枢軸
Ｓ２  第２の枢軸
Ｓ３  第３の枢軸
Ｓ４  第４の枢軸
４ａ  枢軸部
６  ロック機構
７  ヒンジ部材
【図１】
2004215931.tif 000003
【図２】
2004215931.tif 000004
【図３】
2004215931.tif 000005
【図４】
2004215931.tif 000006
【図５】
2004215931.tif 000007
【図６】
2004215931.tif 000008
【図７】
2004215931.tif 000009
【図８】
2004215931.tif 000010